(57)【特許請求の範囲】
【請求項１】
畳調エンボスが施された合成樹脂製シートを硬質の発泡ボード上に敷設してなり、該硬質の発泡ボードが、ビス等の固定具で、合成樹脂被覆鋼板を介して下地に機械的に固定され、該合成樹脂被覆鋼板に畳調エンボスが施された合成樹脂製シートを接合してなることを特徴とする畳調床構造物。
【請求項２】
硬質の発泡ボードのサイズが、畳と略同寸法であり、該発泡ボードの幅とほぼ同じ幅の畳調エンボスが施された合成樹脂製シートが、発泡ボード面に敷設されている請求項１に記載の畳調床構造物。
【請求項３】
合成樹脂被覆鋼板の合成樹脂及び畳調エンボスが施された合成樹脂製シートが、塩化ビニル系樹脂からなる請求項１に記載の畳調床構造物。
【請求項４】
畳調エンボスが施された合成樹脂製シート同士が、熔接棒によって熔接されている請求項１〜請求項３のいずれか１項に記載の畳調床構造物。
【発明の詳細な説明】
【０００１】
【発明の属する技術分野】
本発明は室内の床構造物に関し、更に詳しくは一般住宅や公共施設、老人ホーム等の和室調の室内床構造物に関する。
【０００２】
【従来の技術】
従来の畳床は吸放湿性や断熱性等に優れ、古くより日本の居室の床構成材として多く使用されいる。これらの畳床は和室には欠かせないものであって、居住者に落ち着き感と安らぎ感を与え、一般住宅のほか公民館、集会場等の公共施設、老人ホーム等の居室等の様々な場所で使用されている。
【０００３】
【発明が解決しようとする課題】
従来の畳床は上記の様な効果がある半面、ジュースや醤油等の液体をこぼした場合、該液体が畳に染み込んだり、畳と畳の間に浸透してしまい、かびの発生の原因になることもある。又、畳は摩耗して表面が傷付き且つ擦れ易い為、畳表の損傷等により畳を頻繁に張り替える必要があった。又、乳幼児のいる部屋や多くの人が集まる部屋では、清掃上の問題から、畳床の上に木質フローリングを敷設したり、或いは当初より畳床とせず、清掃が簡単な木質フローリングとすることが増えてきている。
【０００４】
又、畳はダニや埃が溜まり易く、アトピー性皮膚炎やぜん息等といったアレルギー性疾患の原因となるとも言われている。
従って本発明の目的は、これら従来の畳床の問題点を解決し、畳床の居住性及び雰囲気を保ちながら、液状物の染み込み等を防止し、汚染した場合にも簡単に清掃することが出来る畳調床構造物を提供することを目的とする。
【０００５】
【課題を解決する為の手段】
上記目的は以下の本発明によって達成される。即ち、本発明は、畳調エンボスが施された合成樹脂製シートを硬質の発泡ボード上に敷設してなり、該硬質の発泡ボードが、ビス等の固定具で、合成樹脂被覆鋼板を介して下地に機械的に固定され、該合成樹脂被覆鋼板に畳調エンボスが施された合成樹脂製シートを接合してなることを特徴とする畳調床構造物である。
本発明の床構造物は、畳床の居住性や雰囲気を保ちつつ、且つ液状物の浸透を防ぎ、汚染されても簡単に清掃することが出来るので衛生的である。
【０００６】
【発明の実施の形態】
本発明の畳調床構造物は、断面図である図１及び斜視図である図２に示す様に、硬質の発泡ボード上に畳調模様をエンボスした合成樹脂製シートを敷設した構造物からなる。
本発明において、硬質の発泡ボードは、本発明の構造物が畳と同様の柔らかさと質感を有する様に使用する。硬質の発泡ボードは合成樹脂を発泡させたボードからなり、例えば、ポリスチレン発泡ボード、ポリエチレン発泡ボード、ポリプロピレン発泡ボード、ポリ塩化ビニル発泡ボード、ポリウレタン発泡ボード、ポリイソシアヌレート発泡ボード等が挙げられる。
【０００７】
上記発泡ボードの形状は、長方形或いは正方形であることが好ましく、より畳に似せる為に、畳とほぼ同寸法、即ち縦１，７００〜２，０００ｍｍ、横８００〜１，０００ｍｍの長方形状、又は縦横８００〜１，０００ｍｍの正方形のものを使用することがとりわけ望ましい。発泡ボードの厚さとしては２０〜８０ｍｍ程度のものを使用する。又、これらの発泡ボードの裏面や中間層に耐水ベニヤ板等の板や石膏ボード等の無機質板等を適宜積層することも可能である。更に発泡ボードの表面や中間層、裏面に合成樹脂製シートやフイルムを積層することも可能である、発泡ボードは一枚成形品に限らず、同種又は異種の発泡ボードを積層したものであってもよい。
【０００８】
硬質の発泡ボードは下地板、荒床、ＡＬＣ板等の下地に敷き並べて固定する。下地への固定は接着剤で固定することも可能であるが、長期的に確実に固定する為には、合成樹脂被覆鋼板を硬質の発泡ボード周囲に当接し、該合成樹脂被覆鋼板を介してビス等の固定具によって機械的に下地へ固定することが好ましい。合成樹脂被覆鋼板は、硬質の発泡ボードの長辺（正方形の場合は対向する１対の辺）又は長辺と短辺の回縁に当接して、下地に固定することが出来る。合成樹脂被覆鋼板は金属製の平板に合成樹脂を被覆したものであって、ビスを通す穴が開けられている。板の大きさは幅が３０〜１００ｍｍ、厚さが０．５〜３ｍｍで１〜３ｍの長さの板で、硬質の発泡ボードの長さに応じて繋ぎ合わせたり、切断したりして使用することが出来る。
【０００９】
鋼板を被覆する合成樹脂は、その上に敷設する合成樹脂製シートと接着性の良い合成樹脂であることが好ましく、又、熱融着或いは溶剤溶着が可能な様に熱可塑性樹脂を使用することが好ましい。この様な合成樹脂としてはポリ塩化ビニル系樹脂、ポリエチレン樹脂、ポリプロピレン樹脂、エチレン−酢酸ビニル共重合樹脂、エチレン−アクリル酸エチル共重合樹脂、エチレン−メタクリル酸メチル共重合樹脂、ポリエステル系樹脂、ウレタン樹脂等が挙げられる。中でもポリ塩化ビニル系樹脂は溶剤溶着性或いは熱融着性に優れておりとりわけ好ましい。
【００１０】
ここでいう塩化ビニル系樹脂とは、ポリ塩化ビニル樹脂に可塑剤、安定剤、充填剤、酸化防止剤、紫外線吸収剤、難燃剤等の通常添加される公知の配合剤を添加したもののほか、エチレン−塩化ビニル共重合樹脂、酢酸ビニル−塩化ビニル共重合樹脂等の他のモノマーとの共重合体、或いはウレタン樹脂、アクリル系樹脂等の他の合成樹脂や合成ゴムとの混合物を総称していう。被覆する合成樹脂はフイルムを金属板に被覆したり、液状の合成樹脂をコーティング或いはディッピングすることにより被覆することが出来る。被覆する合成樹脂の厚さは０．０５〜０．５ｍｍ程度の範囲で金属板の片面或いは両面に被覆することが好ましい。金属板の材質は特に制限はされず、例えば、鉄鋼、ステンレススチール、アルミニウム、銅、或いは耐蝕性を向上させる為に、これらに亜鉛メッキ、クロムメッキ処理、アルイマイト処理等を施したもの等が挙げられる。
【００１１】
本発明において、畳調エンボスが施された合成樹脂製シートは、硬質の発泡ボードの上に敷設する。敷設方法は硬質の発泡ボード周囲に固定された合成樹脂被覆鋼板と合成樹脂製シートとを接着させることによって、硬質の発泡ボード上に敷設する。畳調エンボスとは畳の表面と同様の凹凸模様を合成樹脂製シート表面に設けたものであって、シートの色合いも畳と同様のうす緑色乃至はうす茶色とすることにより、畳に似せることが出来る。
【００１２】
又、透明な合成樹脂製シート内に畳色調のポリエステルやナイロン等の繊維長が２〜３０ｍｍ程度の繊維体を分散させて混入させ、これに直接畳調エンボスを施すか、或いは畳の色に着色したシートに積層して畳調エンボスを施すことも可能である。更に、合成樹脂製シート内に畳（い草）の香料を添加し、更に畳床の雰囲気を醸し出すことも可能である。畳調エンボスは合成樹脂製シートを加熱して軟化若しくは溶融させ、表面を畳模様が彫刻されたエンボスロールで型押しすることによって得ることが出来るが、他のエンボス方法で行なってもよい。
【００１３】
畳調エンボスが施された合成樹脂製シートは、厚さ１〜５ｍｍ、幅７００〜１９００ｍｍの長尺状シートを使用し、合成樹脂としては、前記の合成樹脂被覆鋼板に被覆する合成樹脂と同様の合成樹脂、例えば、ポリ塩化ビニル系樹脂、ポリエチレン樹脂、ポリプロピレン樹脂、エチレン−酢酸ビニル共重合樹脂、エチレン−アクリル酸エチル共重合樹脂、エチレン−メタクリル酸メチル共重合樹脂、ポリエステル系樹脂、ウレタン樹脂等を使用することが出来る。
【００１４】
合成樹脂製シートを、塩化ビニル系樹脂が被覆された合成樹脂被覆鋼板と溶剤溶着又は熱融着させる場合は、合成樹脂製シートとして中でもポリ塩化ビニル系樹脂を使用することが好ましい。溶剤溶着で合成樹脂製シートと合成樹脂被覆鋼板とを接合させる場合は、テトラヒドロフラン、メチルエチルケトン、トルエン等、使用する合成樹脂を溶解させることが出来る溶剤を適宜選択して使用する。尚、溶剤溶着の際に溶剤の液垂れによって発泡ボードが溶解してしまう虞がある場合は、発泡ボードと合成樹脂被覆鋼板との間に、使用する溶剤に溶解しない合成樹脂フイルムやシートを挿入しておくことも可能である。又、合成樹脂製シートの幅を硬質の発泡ボードや畳みとほぼ同じ幅として、硬質の発泡ボードの周囲の合成樹脂被覆鋼板上に合成樹脂製シートの端部が位置する様に敷設することにより、畳を敷き詰めた様な感じに仕上げることも可能である。更に合成樹脂製シートの大きさを畳の大きさとし、硬質の発泡ボードと共に畳の様に敷き詰めることも可能である。
【００１５】
本発明においては合成樹脂製シート同士の突き合わせ端末を、直径３〜１０ｍｍの棒状の熔接棒によって熔接して接合し、目地部の隙間をなくす様にすることが好ましい。目地部を熔接棒によって熔接接合することにより、目地部から液状物等が入り込むことを防止することが出来る。又、合成樹脂製シートに軟質の発泡シートを積層して、クッション性を付与したり、ガラス繊維、ポリエステル繊維、ナイロン繊維、麻等の織布、不織布を合成樹脂製シートの裏面又は中間層に積層して寸法安定性を向上させることも可能である。更に、公知の銀系抗菌剤等の抗菌剤をシートに配合して、カビや他の菌の繁殖をより低減させることも出来る。
【００１６】
又、硬質の発泡ボードと合成樹脂製シートとの間に発泡シートを介在させることも可能である。発泡シートを介在させることにより発泡ボードと鋼板の段差調整、適度のクッション性の付与、或いは合成樹脂製シート又は発泡ボードからの各種配合剤の移行防止等の役割を果たし、これらの発泡シートは合成樹脂製の軟質の発泡シートが好ましい。
【００１７】
更に、合成樹脂製シートを畳とほぼ同じ大きさとした硬質の発泡ボードの幅で敷設し、合成樹脂製シート同士を熔接棒にて熔接接合した後、この熔接部分に畳縁模様のテープを接合することも可能である。畳縁模様のテープを接合することによって熔接棒による接合部分を覆い隠すことが出来、更に畳を敷き詰めた感じに仕上げることが出来る。テープは合成樹脂製の厚さ０．１〜０．３ｍｍ程度で、幅が２０〜５０ｍｍの長尺状のシートを使用することが出来る。畳縁模様とは通常畳縁に使われている模様のことで、無地模様でもよい。
【００１８】
模様はグラビア印刷等の公知の印刷手段によって付与することが出来る。テープを合成樹脂製シートに接合する方法は、テープ裏面に粘着剤や接着剤を塗布して接合させるか、或いは合成樹脂製シートと熱融着又は溶剤溶着によって接合させることが出来る。テープを構成する合成樹脂は、畳調エンボスが施された合成樹脂製シートと同様の合成樹脂を使用することが出来る。
【００１９】
【実施例】
次に、本発明の畳調床構造物の施工例を説明する。
厚さ５０ｍｍ、縦１，８００ｍｍ、横９００ｍｍのポリスチレン発泡ボードを１２畳間に１２枚並列に並べて下地板上に敷き詰めた。発泡ボードの縦の縁部に厚さ１ｍｍ、幅３５ｍｍ、長さ２０００ｍｍの塩化ビニル樹脂が被覆された鋼板を当てがい、直径８ｍｍ、長さ８０ｍｍのステンレスプラグビスによって固定した。尚、鋼板は適宜繋ぎ合わせて、余分な部分は切断して使用した。
【００２０】
次に、ポリエチレン製の厚さ２．５ｍｍ、幅８３０ｍｍの発泡シートを、縁部の塩化ビニル樹脂被覆鋼板に被さらない様に発泡ボードの上に載せて敷き詰めて、その上に幅９２０ｍｍ、厚さ２．０ｍｍの薄い緑色に着色された畳調のエンボスが施された軟質塩化ビニル樹脂製シートを敷設した。塩化ビニル樹脂製シートは中間にガラス繊維クロスが積層したものを使用した。塩化ビニル樹脂製シートは両端部が塩化ビニル樹脂被覆鋼板上となる様に敷設し、塩化ビニル樹脂被覆鋼板と溶剤溶着によって接合した。溶剤溶着にはテトラヒドロフランを使用した。又、塩化ビニル樹脂製シート同士は熔接棒で熔接した。
次に塩化ビニル樹脂製シートの上に熔接箇所を中心に、幅８０ｍｍ、厚さ０．２ｍｍの畳縁模様が印刷された塩化ビニル樹脂製シートを溶剤溶着によって接合して、畳調床構造物の施工を行なった。
【００２１】
【発明の効果】
本発明によれば、畳調エンボスが施された合成樹脂製シートを発泡ボードの上に敷設することにより、畳床の居住性を生かしながら、液状物をこぼしても内部に浸透することもなく、又、合成樹脂製シートであるから摩耗に強くなり張り替えが不要となり、又、簡単に表面の汚れを落とすことが出来、カビや埃の発生を低減することが出来、メンテナンスが容易で臭いも付きにくい床構造物となる。更に発泡ボードによって適度の弾性が付与され畳の感触が得られる。
又、発泡ボードの周囲に合成樹脂被覆鋼板によって機械的に固定することにより、長期にわたって確実に下地へ固定することが出来、更に合成樹脂シートをもこの鋼板によって接合し、中央部を接合させないことにより、シートが浮いた感じとなり畳と似た歩行感となる。
【００２２】
発泡ボードを畳とほぼ同じ寸法とし、発泡ボードの幅とほぼ同じ幅の畳調エンボスが施された合成樹脂製シートを敷設することにより、シートの熔接部分が畳の目地部の様な感じを与え、より畳を敷き詰めた雰囲気を醸し出すことが出来る。
又、合成樹脂被覆鋼板の合成樹脂及び畳調エンボスが施された合成樹脂製シートを塩化ビニル系樹脂製とすることにより、合成樹脂被覆鋼板と合成樹脂製シートとを溶剤溶着や熱融着によって一体的に接合させることが出来、長期に亘り接合状態を保持することが出来る。
更に、畳調エンボスが施された合成樹脂製シート同士を熔接棒によって熔接接合することにより、シート同士を一体的に接合することが出来、シートの繋ぎ目から液状物等が浸入することを防止することが出来る。
【００２３】
【図面の簡単な説明】
【図１】  本発明の畳調床構造物の断面図の一部を示す図。
【図２】  本発明の畳調床構造物の斜視図の一部を示す図。
【図１】
0003666948.tif 000002
【図２】
0003666948.tif 000003